(57)【要約】【課題】従来の電気掃除機においては、遠心分離室と集塵室とを連通する通路を遠心分離室の下方に設けているので、集塵室に集塵された塵埃が逆流し易いといった欠点があった。【解決手段】吸込んだ塵埃を空気と塵埃とに遠心分離する遠心分離室と、該遠心分離室の下方に設けられ、塵埃を集塵する塵埃集塵室とを有し、前記遠心分離室及び前記塵埃集塵室は前記掃除機本体から着脱自在に設けられていると共に、各々が着脱自在に設けられ、前記遠心分離室から前記塵埃集塵室への塵埃通過口を前記遠心分離室の上端部へ設けた。【選択図】図１
2004216001.tif 000002
【特許請求の範囲】
【請求項１】
掃除機本体内部に電動送風機を内蔵し、吸引した塵埃を吸気流の旋回流で遠心分離する遠心分離機構を有する電気掃除機において、
吸込んだ塵埃を空気と塵埃とに遠心分離する遠心分離室と、該遠心分離室の下方に設けられ、塵埃を集塵する塵埃集塵室とを有し、前記遠心分離室及び前記塵埃集塵室は前記掃除機本体から着脱自在に設けられていると共に、各々が着脱自在に設けられ、前記遠心分離室から前記塵埃集塵室への塵埃通過口を前記遠心分離室の上端部へ設けたことを特徴とする電気掃除機。
【請求項２】
請求項１において、
前記遠心分離室の塵埃吸入口を前記遠心分離室の下方へ設け、塵埃を含んだ旋回流が前記遠心分離室の下方から上方へ流入する構造としたことを特徴とする電気掃除機。
【請求項３】
請求項１または２において、
前記塵埃集塵室の側壁の一部を開閉可能にしたことを特徴とする電気掃除機。
【請求項４】
請求項１乃至３の何れかにおいて、
前記塵埃集塵室の上方から下方に向かって遮蔽板を設けたことを特徴とする電気掃除機。
【発明の詳細な説明】
【０００１】
【発明の属する技術分野】
本発明は、電気掃除機に関するものである。
【０００２】
【従来の技術】
従来の電気掃除機は、特許文献１に記載されているように、遠心分離室と集塵室とを別々に設け、遠心分離室と集塵室とを連通する通路を遠心分離室の下方に設けた技術が開示されている。
【０００３】
【特許文献１】
特開２０００−１５７４６３号公報（第５頁第６行−同第３７行、図８）
【０００４】
【発明が解決しようとする課題】
しかしながら、上記特許文献１に開示の技術においては、遠心分離室と集塵室とを連通する通路を遠心分離室の下方に設けているので、集塵室に集塵された塵埃が逆流し易いといった欠点があった。
【０００５】
そこで、本発明の目的は、上記課題を解決し、集塵室に集塵された塵埃の逆流防止を図った電気掃除機を提供することにある。
【０００６】
【課題を解決するための手段】
上記の目的を達成するために本発明の特徴とするところは、掃除機本体内部に電動送風機を内蔵し、吸引した塵埃を吸気流の旋回流で遠心分離する遠心分離機構を有する電気掃除機において、吸込んだ塵埃を空気と塵埃とに遠心分離する遠心分離室と、該遠心分離室の下方に設けられ、塵埃を集塵する塵埃集塵室とを有し、前記遠心分離室及び前記塵埃集塵室は前記掃除機本体から着脱自在に設けられていると共に、各々が着脱自在に設けられ、前記遠心分離室から前記塵埃集塵室への塵埃通過口を前記遠心分離室の上端部へ設けたことにある。
【０００７】
【発明の実施の形態】
以下、本発明の実施形態を図１と図２を用いて説明する。
【０００８】
図１は本発明の一実施例に係る電気掃除機の断面図であり、図２は本発明の一実施例にかかる電気掃除機の外観図である。
【０００９】
図１及び図２において、掃除機本体１０１の上方にダストカップ１０２、下方には吸口１０３を備え、ダストカップ１０２は伸縮ホース１０４と接続されている。
【００１０】
ダストカップ１０２は塵埃の溜まり具合が分かるように透明材料にて形成されており、塵埃が溜まった時・吸込みが弱くなった時にはプッシュクランプ１０５を押しながら取り外し洗浄することができる。また掃除機本体１０１には、塵埃が溜まった場合に動作し、電動送風機１０６の発熱を防止するためにバイパスバルブ（図示せず）を設けている。
【００１１】
掃除機本体には掃除の際に使用するハンドル１０７が接続されており、ハンドルストッパー１０８のロックを解除することで、図１の如く折りたためる様に回動部を設けてあり、収納スペースを小さくすることができる。またハンドル１０７の上部には掃除機の運転および停止を制御するスイッチ１０９を設けている。
また、掃除機本体の持ち運びに使用する本体ハンドル１１０は掃除機本体１０１と別体で設けており、掃除機本体１０１に収納できるように設けている。
【００１２】
図３は掃除機運転時の吸気と排気の流れを示している。
電動送風機１０６からの吸気流は、吸口１０３から塵埃と共に吸込まれ、継ぎ手Ｌ１１１、継ぎ手Ｕ１１２を通り伸縮ホース１０４を介してダストカップ１０２に入る。ダストカップ１０２に吸引した塵埃は遠心分離室１１３にて塵埃と空気に回転分離されて塵埃通過口３０１を通り、塵埃集塵室１１４に堆積する。このとき塵埃通過口３０１は遠心分離室１１３の上端部に設けており、旋回流は遠心分離室１１４内部で竜巻の如く下から上へ巻き上がる。そのため、効果的に塵埃の遠心分離ができると共に塵埃集塵室１１４からの塵埃の逆流を防止することができる。また、遠心分離室１１３と塵埃集塵室１１４を分けているので、塵埃が遠心分離室１１３に堆積することがなく、旋回している時間が少ないため遠心分離室１１３の内壁の傷付きを防止することができる。これは、質量の重い塵埃を吸込んだ場合に起きる旋回毎の異音も防止している。
【００１３】
一方、電動送風機１０６からの排気流は、吸口排気口１１５と本体排気口１１６に分岐される。本体排気口１１６に向う排気流の一部はコードリール室１１７に入り電源コード１１８を冷却する。また、吸口排気口１１５に向う排気流は継ぎ手Ｌ１１１、継ぎ手Ｕ１１２を通り、吸口排気口１１５から吸口内部に排出される。
【００１４】
図４はダストカップ１０２を掃除機本体１０１から取り外した状態を表している。
ダストカップ１０２は大きく分けて上段部分の遠心分離室１１３と下段部分の塵埃集塵室１１４から構成しており遠心分離室１１３には掃除機本体１０１と着脱自在にプッシュクランプ１０５を設けている。また、遠心分離室１１３へ塵埃を含んだ空気が流入する塵埃吸入口４０１は遠心分離室１１３の下部に設けており、図３で説明したように塵埃通過口３０１が遠心分離室１１３の上端部に設けてあるので、旋回流は遠心分離室１１４内部で竜巻の如く下から上へ巻き上がり、塵埃集塵室１１４に堆積する。
【００１５】
図５はダストカップ１０２から塵埃を捨てるときの状態を表している。
開閉ボタン５０１を押すと塵埃集塵室フィルター４０２が開き塵埃を廃棄することができる。この動作は開閉ボタン５０１を押すことによって可能なのでワンタッチで塵埃の廃棄が可能となり、使い勝手が向上する。また、この塵埃集塵室フィルター４０２と開閉ボタン５０１は掃除機本体に組込んだ状態では見えないため外観を損なうことが無い。
【００１６】
図６はダストカップ１０２を分解した状態を表している。
【００１７】
ダストカップ１０２は開閉クランプ６０３を操作することによって分解でき、遠心分離室１１３と遠心分離室フィルター６０１と塵埃集塵室１１４に分けることができる。この状態で内部に詰まった塵埃や細かい部分に付いた塵埃を清掃できる。遠心分離室フィルター６０１の下部には塵埃集塵室１１４の上部から下部に向かって遮蔽板６０２を設けている。この遮蔽板６０２は遠心分離室１１３から塵埃集塵室１１４に流入した塵埃を含んだ気流を略中心で仕切ることができるので塵埃集塵室１１４に塵埃が堆積する場合、比較的軽い塵埃はこの気流によって横方向に圧縮されて、遮蔽板６０２が無い場合に比べて多量の塵埃を集塵することができる。
【００１８】
このように、掃除機本体１０１、ダストカップ１０２、吸口１０３を構成すると遠心分離機構を有する集塵室の構成が簡単にでき、効果的に塵埃の遠心分離が可能で使い勝手に優れた電気掃除機を提供することができる。また、縦形電気掃除機の場合，使用状態が直立状態の場合や斜めの状態の場合があり、さらには前後に吸口を移動させたとき掃除機本体も一緒に動く。このとき集塵室内で塵埃が動作することになるが、この遠心分離機構を有するダストカップを縦形電気掃除機に用いることによって、塵埃の逆流を防止できる使い勝手の良い縦形電気掃除機を提供することができる。
【００１９】
【発明の効果】
以上説明したように本発明によれば、遠心分離室から塵埃集塵室への塵埃通過口を遠心分離室の上端部へ設けるようにしたので、塵埃集塵室からの塵埃の逆流を防止することができる。
【００２０】
また、本発明によれば、塵埃集塵室の側壁の一部を開閉可能にしたので、塵埃の清掃が容易な使い勝手に優れた電気掃除機を提供することができる。
【００２１】
また、本発明によれば、塵埃集塵室の上部から下部に向かって遮蔽板を設けたので塵埃集塵室に堆積した比較的軽量な塵埃を圧縮することができ、圧縮前と比べて多量の塵埃を集塵することが可能な使い勝手に優れた電気掃除機を提供することができる。
【図面の簡単な説明】
【図１】本発明の一実施例に係る電気掃除機の断面図である。
【図２】本発明の一実施例に係る電気掃除機全体の外観図である。
【図３】本発明の一実施例に係る電気掃除機の空気の流れを表した断面図である。
【図４】本発明の一実施例に係るダストカップの外観図（１）である。
【図５】本発明の一実施例に係るダストカップの外観図（２）である。
【図６】本発明の一実施例に係るダストカップの外観図（３）である。
【符号の説明】
１０１…掃除機本体、１０２…ダストカップ、１０３…吸口、１０４…伸縮ホース、１０５…プッシュクランプ、１０６…電動送風機、１０７…ハンドル、１０８…ハンドルストッパー、１０９…スイッチ、１１０…本体ハンドル、１１１…継ぎ手Ｌ、１１２…継ぎ手Ｕ、１１３…遠心分離室、１１４…塵埃集塵室、１１５…吸口排気口、１１６…本体排気口、１１７…コードリール室、１１８…電源コード、３０１…塵埃通過口、４０１…塵埃吸入口、４０２…塵埃集塵室フィルター、５０１…開閉ボタン、６０１…遠心分離室フィルター、６０２…遮蔽板、６０３…開閉クランプ。
【図１】
2004216001.tif 000003
【図２】
2004216001.tif 000004
【図３】
2004216001.tif 000005
【図４】
2004216001.tif 000006
【図５】
2004216001.tif 000007
【図６】
2004216001.tif 000008